(57)【要約】  望遠光学系をそれぞれ有する一対の鏡体と、一対の鏡体を各望遠光学系の光軸と平行な軸部材の軸回りに相対的に回動可能に連結する連結部とを有し、軸部材を中心に一対の鏡体を相対的に回動させることにより眼幅調整を行う双眼鏡において、一対の鏡体の所定の回動角にクリック位置を設定するためのクリック位置設定機構を備え、クリック位置設定機構は、軸部材に該軸部材の軸回りに回動可能に設けられ連結部と軸部材の軸方向に対向する回動部材と、連結部と回動部材の何れか一方に設けられた突出部と、連結部と回動部材との何れか他方に設けられ突出部と係合可能な凹部とからなり、さらに、回動部材の軸部材に対する回動のロック及びその解除を行うロック／解除部材を備えたことを特徴とする双眼鏡。
2013147180.tif 000002
【特許請求の範囲】
【請求項１】
望遠光学系をそれぞれ有する一対の鏡体と、前記一対の鏡体を前記各望遠光学系の光軸と平行な軸部材の軸回りに相対的に回動可能に連結する連結部とを有し、前記軸部材を中心に前記一対の鏡体を相対的に回動させることにより眼幅調整を行う双眼鏡において、
前記一対の鏡体の所定の回動角にクリック位置を設定するためのクリック位置設定機構を備え、前記クリック位置設定機構は、前記軸部材に該軸部材の軸回りに回動可能に設けられ前記連結部と前記軸部材の軸方向に対向する回動部材と、前記連結部と前記回動部材の何れか一方に設けられた突出部と、前記連結部と前記回動部材との何れか他方に設けられ前記突出部と係合可能な凹部とからなり、
さらに、前記回動部材の前記軸部材に対する回動のロック及びその解除を行うロック／解除部材を備えたことを特徴とする双眼鏡。
【請求項２】
前記クリック位置は、複数設けられていることを特徴とする請求項１に記載の双眼鏡。
【請求項３】
前記複数のクリック位置のうちの少なくとも１つのクリック位置と他のクリック位置とは、クリック感が互いに異なることを特徴とする請求項２に記載の双眼鏡。
【請求項４】
前記突出部は、前記軸部材の軸方向に突出することを特徴とする請求項１乃至３のいずれかに記載の双眼鏡。
【請求項５】
前記突出部は、その突出方向に弾性部材で付勢されたボールで構成されたことを特徴とする請求項１乃至４のいずれかに記載の双眼鏡。
【請求項６】
前記ロック／解除部材は、前記軸部材に螺合されて、所定方向に回転させることで前記回動部材を前記軸部材の軸方向に締め付けて前記回動部材の回動をロックするとともに、逆方向に回転させることで前記回動部材の前記締め付けを緩めて前記回動部材の回動のロックを解除する部材であることを特徴とする請求項１乃至５のいずれかに記載の双眼鏡。
【請求項７】
前記軸部材に螺合されて、前記ロック／解除部材の前記回動部材とは反対の側に位置する部位を有する部材を、備えたことを特徴とする請求項６記載の双眼鏡。
【請求項８】
前記ロック／解除部材は、前記回動部材の前記軸方向の一方の側を覆う化粧蓋を兼ねることを特徴とする請求項１乃至６のいずれかに記載の双眼鏡。
【発明の詳細な説明】
【技術分野】
【０００１】
本発明は、双眼鏡に関する。
【背景技術】
【０００２】
下記日本国特開平１１−１４８９３号公報には、少なくとも１箇所にクリック部を有し且つ固定ボディに沿って光軸方向と直交する方向にスライド移動可能に設けられたクリック板と、この固定ボディに対して光軸方向と直交する方向にスライド移動可能な可動ボディに取り付けられ且つ前記クリック部に係合可能な眼幅クリックバネと、前記クリック板を任意位置でロック及びロック解除可能なロック機構とを具備する、水平移動式双眼鏡が、開示されている。【０００３】
この従来の水平移動式双眼鏡によれば、クリック感が得られる眼幅位置を任意に設定することができ、しかもその設定位置を解除しなくても眼幅位置を変更することができる。
【先行技術文献】
【特許文献】
【０００４】
【特許文献１】特開平１１−１４８９３号公報
【発明の概要】
【発明が解決しようとする課題】
【０００５】
しかしながら、前記従来の双眼鏡では、前記クリック板は直接操作することができない構造が採用されている。このため、前記クリック板を任意の位置に設定するためには、前記ロック機構によるロック解除状態において、可動ボディをスライドさせることで、前記眼幅クリックバネを前記クリック板の凹部に係合させ、前記クリック板も引き連れて可動ボディを移動させることによって、使用者は前記クリック板を所望の位置に位置させて、クリック位置を設定しなければならない。したがって、このような動作を実現するためには、各部の摩擦やバネ力の調整をシビアに行わなければならず、それらの調整が困難である。【０００６】
この点について、以下に、前記日本国特開平１１−１４８９３号公報中の実施の形態に即して具体的に説明する。【０００７】
日本国特開平１１−１４８９３号公報では、その図５に示すように、「凹部２１ａ」を設けた「クリック板２１」を直接操作することができない構造であり、「上台板１７」に保持されながら光軸と直行する方向に摺動する「クリック板２１」は、「クリックバネ２３」と「上台板１７」に挟まれた構成となっている。【０００８】
この構造では、「クリックバネ２３」のバネ力が強いと、眼幅収納状態、すなわち「クリック板２１」が最小眼幅位置にある状態から「可動ボディ１５」を眼幅開方向に移動させる際に、「クリック板２１」は、「クリックバネ２３」により「上台板１７」に押し付けられるため、「クリックバネ２３」との摩擦が増える。この際、「クリック板２１」と「クリックバネ２３」との摩擦力が、「クリック板２１」と「上台板１７」との摩擦力に勝った場合には、「クリックバネ２３」が「凹部２１ａ」に係合していなくても「クリック板２１」は「クリックバネ２３」の移動と共に動いてしまう。【０００９】
一方、「クリック板２１」が「クリックバネ２３」の移動と共に動かない程度に「クリックバネ２３」のバネ力を弱めると、「クリックバネ２３」が「クリック板２１」の「凹部２１ａ」に落ち込んだ後に「クリックバネ２３」が「凹部２１ａ」を乗り上げる力が「クリック板２１」と「上台板１７」の摩擦力よりも劣る場合には、「クリックバネ２３」が「凹部２１ａ」に係合していても、「クリックバネ２３」の移動に拘わらず「クリック板２１」は動かないことになる。【００１０】
このように、各部の摩擦力や「クリックバネ２３」のバネ力をシビアに調整しないと、「可動ボディ１５」を眼幅開方向に移動させて、「クリックバネ２３」を「クリック板２１」の「凹部２１ａ」に落ち込ませ、その後、「クリックバネ２３」が「クリック板２１」を引き連れて移動させるということができなくなる。つまり、日本国特開平１１−１４８９３号公報では、目的の動作をさせるための各部の摩擦やバネ力の調整が困難である。【００１１】
本発明は、このような事情に鑑みてなされたもので、クリック感が得られる眼幅位置を任意に設定することができしかもその設定位置を解除しなくても眼幅位置を変更することができる上に、所望の動作をさせるための各部のシビアな調整が不要である双眼鏡を提供することを目的とする。
【課題を解決するための手段】
【００１２】
前記課題を解決するために、本発明に係る双眼鏡は、望遠光学系をそれぞれ有する一対の鏡体と、前記一対の鏡体を前記各望遠光学系の光軸と平行な軸部材の軸回りに相対的に回動可能に連結する連結部とを有し、前記軸部材を中心に前記一対の鏡体を相対的に回動させることにより眼幅調整を行う双眼鏡において、前記一対の鏡体の所定の回動角にクリック位置を設定するためのクリック位置設定機構を備え、前記クリック位置設定機構は、前記軸部材に該軸部材の軸回りに回動可能に設けられ前記連結部と前記軸部材の軸方向に対向する回動部材と、前記連結部と前記回動部材の何れか一方に設けられた突出部と、前記連結部と前記回動部材との何れか他方に設けられ前記突出部と係合可能な凹部とからなり、さらに、前記回動部材の前記軸部材に対する回動のロック及びその解除を行うロック／解除部材を備えたことを特徴とする。【００１３】
また、本発明の好ましい態様は、前記クリック位置は、複数設けられていることを特徴とする双眼鏡である。【００１４】
また、本発明の好ましい態様は、前記複数のクリック位置のうちの少なくとも１つのクリック位置と他のクリック位置とは、クリック感が互いに異なることを特徴とする双眼鏡である。【００１５】
また、本発明の好ましい態様は、前記突出部は、前記軸部材の軸方向に突出することを特徴とする双眼鏡である。【００１６】
また、本発明の好ましい態様は、前記突出部は、その突出方向に弾性部材で付勢されたボールで構成されたことを特徴とする双眼鏡である。【００１７】
また、本発明の好ましい態様は、前記ロック／解除部材は、前記軸部材に螺合されて、所定方向に回転させることで前記回動部材を前記軸部材の軸方向に締め付けて前記回動部材の回動をロックするとともに、逆方向に回転させることで前記回動部材の前記締め付けを緩めて前記回動部材の回動のロックを解除する部材であることを特徴とする双眼鏡である。【００１８】
また、本発明の好ましい態様は、前記軸部材に螺合されて、前記ロック／解除部材の前記回動部材とは反対の側に位置する部位を有する部材を、備えたことを特徴とする双眼鏡である。【００１９】
また、本発明の好ましい態様は、前記ロック／解除部材は、前記回動部材の前記軸方向の一方の側を覆う化粧蓋を兼ねることを特徴とする請求項１乃至６のいずれかに記載の双眼鏡である。
【発明の効果】
【００２０】
本発明によれば、クリック感が得られる眼幅位置を任意に設定することができしかもその設定位置を解除しなくても眼幅位置を変更することができる上に、所望の動作をさせるための各部のシビアな調整が不要である双眼鏡を提供することができる。
【図面の簡単な説明】
【００２１】
【図１】図１は本発明の第１の実施の形態による双眼鏡を示す概略平面図である。
【図２】図２は図１に示す双眼鏡を示す概略正面図である。
【図３】図３は図１中の軸ＭＡ付近を拡大しかつその大部分を破断して示す図である。
【図４】図４は図３中の第１の軸部材を接眼レンズ側から軸ＭＡ方向に見た図である。
【図５】図５は図１乃至図３中の操作部材を示す平面図である。
【図６】図６は図５中のＡ−Ａ’矢視断面図である。
【図７】図７は図５中のＢ−Ｂ’線に沿った断面図である。
【図８】図８は図１に示す双眼鏡の所定の動作状態を示す概略正面図である。
【図９】図９は図１に示す双眼鏡の他の動作状態を示す概略正面図である。
【図１０】図１０は図１に示す双眼鏡の更に他の動作状態を示す概略正面図である。
【図１１】図１１は図１に示す双眼鏡の更に他の動作状態を示す概略正面図である。
【図１２】図１２は図１に示す双眼鏡の更に他の動作状態を示す概略正面図である。
【図１３】図１３は操作部材の変形例を示す平面図である。
【図１４】図１４は本発明の第２の実施の形態による双眼鏡の軸ＭＡ付近を拡大しかつその大部分を破断して示す図である。
【発明を実施するための形態】
【００２２】
以下、本発明による双眼鏡について、図面を参照して説明する。
【００２３】
［第１の実施の形態］
図１は、本発明の第１の実施の形態による双眼鏡１を示す概略平面図である。図２は、図１に示す双眼鏡１を示す概略正面図である。図１及び図２は、眼幅を最大眼幅Ａに調整した状態を示している。図３は、図１中の軸ＭＡの付近を拡大しかつその大部分を破断して示す図である。図４は、図３中の第１の軸部材２２を接眼レンズ１２側から軸ＭＡ方向に見た図である。図４では、第１の軸部材２２のみを示している。
【００２４】
本発明の第１の実施の形態による双眼鏡１は、望遠光学系をそれぞれ内部に有する左右一対の鏡体２Ｒ，２Ｌと、両鏡体２Ｒ，２Ｌをそれらの光軸ＯＲ，ＯＬと平行な軸ＭＡの回りに相対的に回動可能に連結する連結部３とを備え、軸ＭＡを中心に鏡体２Ｒ，２Ｌを相対的に回動させることで眼幅調整を行うように構成されている。図１に示すように、軸ＭＡは平面視で光軸ＯＲ，ＯＬの間に位置している。
【００２５】
各鏡体２Ｒ，２Ｌは、それぞれ、対物レンズ１１、接眼レンズ１２、及び、対物レンズ１１と接眼レンズ１２との間の光路中に配置された正立プリズム１３を有しており、これらが望遠光学系を構成している。連結部３の軸ＭＡ方向で接眼レンズ１２側には、各望遠光学系の焦点合わせのためのフォーカスノブ１４が設けられている。
【００２６】
連結部３は、鏡体２Ｒと一体的に設けられた腕部をなす連結部材２１Ｒと、鏡体２Ｌと一体的に設けられた腕部をなす連結部材２１Ｌと、フランジ部２２ａを有する円筒状の第１の軸部材２２と、肉厚のフランジ部２３ａを有する円筒状の第２の軸部材２３と、を有している。
【００２７】
本実施の形態では、連結部材２１Ｒと連結部材２１Ｌとが、軸ＭＡを中心に相対的に回動できるように、軸ＭＡと同軸の第１及び第２の軸部材２２，２３を介して接続されている。連結部材２１Ｒ，２１Ｌにはそれぞれ、軸ＭＡの方向に延在する孔２１Ｒａ，２１Ｌａが形成されている。連結部材２１Ｒの孔２１Ｒａと連結部材２１Ｌの孔２１Ｌａとが軸ＭＡ上に同軸に連なるように配置され、これらの孔２１Ｒａ，２１Ｌａに、後述するように互いに螺合された第１及び第２の軸部材２２，２３が挿入されている。後述するように、第１及び第２の軸部材２２，２３が、連結部材２１Ｒに対して一体的に固定されている。一方、連結部材２１Ｌは、その孔２１Ｌａに挿入された第１の軸部材２２により回動可能に支持されて、第１及び第２の軸部材２２，２３に対して回動可能となっている。これにより、連結部材２１Ｒと連結部材２１Ｌとが、軸ＭＡを中心に相対的に回動できるようになっている。
【００２８】
以下の説明では、説明の便宜上、軸ＭＡ方向の接眼レンズ１２側すなわち接眼レンズ１２に向かう方向を図３中上側あるいは上方向といい、軸ＭＡ方向の対物レンズ１１側すなわち対物レンズ１１に向かう方向を図３中下側あるいは下方向という場合がある。
【００２９】
第１の軸部材２２は、そのフランジ部２２ａを図３中の上側にして、図３中の上側から、軸ＭＡ上に連なった連結部材２１Ｒ，２１Ｌの孔２１Ｒａ，２１Ｌａ内に挿入されている。孔２１Ｒａの図３中の上側部分は、フランジ部２２ａをちょうど受け入れることができる形状に拡径して構成され、フランジ部２２ａの図３中の下面が連結部材２１Ｒの当接面２１Ｒｂと当接することで、連結部材２１Ｒに対する第１の軸部材２２の図３中下方向への移動が規制されている。図４に示すように、第１の軸部材２２のフランジ部２２ａには切欠き２２ｂが形成されている。この切欠き２２ｂに連結部材２１Ｒの凸部（図示せず）が嵌合することによって、連結部材２１Ｒに対する第１の軸部材２２の軸ＭＡ回りの回動が規制されている。
【００３０】
第２の軸部材２３は、そのフランジ部２３ａを図３中の下側にして、図３中の下側から、第１の軸部材２２内に挿入されている。第２の軸部材２３の図３中の上側部分の外周に形成された雄ねじ部２３ｂが、第１の軸部材２２の内周に形成された雌ねじ部２２ｃに螺合され、第２の軸部材２３のフランジ部２３ａの図３中の上面が連結部材２１Ｒの軸ＭＡ方向対物レンズ１１側端面に当接している。これにより、第１の軸部材２２のフランジ部２２ａ及び第２の軸部材２３のフランジ部２３ａが図３中の上下からそれぞれ連結部材２１Ｒを挟み付け、第１の軸部材２２、さらには連結部材２１Ｒに対する第２の軸部材２３の図３中の上下方向の移動が規制されている。
【００３１】
第２の軸部材２３のフランジ部２３ａには、フランジ部２３ａを軸ＭＡ方向に貫通するねじ孔２３ｃが形成されている。ねじ孔２３ｃにビス２４が螺合され、ビス２４の図３中の上端が連結部材２１Ｒの軸ＭＡ方向対物レンズ１１側端面に圧接されている。これにより、連結部材２１Ｒ及び第１の軸部材２２に対する第２の軸部材２３の軸ＭＡ回りの回動が規制され、第２の軸部材２３の外周の雄ねじ部２３ｂと第１の軸部材２２の内周の雌ねじ部２２ｃとの螺合が、緩まないようになっている。なお、第２の軸部材２３には、第２の軸部材２３を螺合させるための工具（図示せず）を挿入し得る孔２３ｄが形成されている。
【００３２】
以上によって、第１及び第２の軸部材２２，２３が連結部材２１Ｒに対して一体的に固定されている。
【００３３】
連結部材２１Ｌは、前述したように、第１及び第２の軸部材２２，２３に対して回動可能となっている。第１及び第２の軸部材２２，２３の螺合により、連結部材２１Ｌがワッシャ（図示せず）を介して連結部材２１Ｒに対して軸ＭＡ方向に押し付けられることによって、連結部材２１Ｒ、前記ワッシャ及び連結部材２１Ｌ間に所定の摩擦力が生ずるようになっている。この摩擦力は、左右の鏡体２Ｒ，２Ｌの重量に打ち勝って左右の鏡体２Ｒ，２Ｌのなす角度を任意の角度すなわち左右の鏡体２Ｒ，２Ｌを任意の眼幅に保持できるとともに、鏡体２Ｒ，２Ｌに所定の外力を加えることにより軸ＭＡを中心として左右の鏡体２Ｒ，２Ｌを相対的に回動させることができる程度の大きさである。したがって、左右の鏡体２Ｒ，２Ｌを軸ＭＡを中心として相対的に回動させることによって眼幅を調整することができる。
【００３４】
そして、本実施の形態による双眼鏡１は、一方の鏡体２Ｌの側に設けられたクリック用突出部としてのボール３１と、回動操作により軸ＭＡの回りに回動可能であるととともに、ボール３１と係合する１つのクリック用凹部としてのＶ溝４１ａを有し、回動位置によってクリック位置を設定する操作部材４１と、他方の鏡体２Ｒに対する操作部材４１の回動のロック及びその解除を、操作に応じて行うロック／解除部材５１と、化粧蓋６１と、を更に備えている。
【００３５】
図５は、図１乃至図３中の操作部材４１を示す平面図である。すなわち操作部材４１を図３中の上側から軸ＭＡの方向に見た図である。図６は、図５中のＡ−Ａ’矢視断面図である。図７は、図５中のＢ−Ｂ’線に沿った断面図である。
【００３６】
本実施の形態では、操作部材４１は環状部材として構成されている。操作部材４１の軸方向の一方側の面（図３中の上面）には、１つのクリック用凹部として、径方向に延びたＶ溝すなわち断面Ｖ字状の溝４１ａが形成されている。もっとも、クリック用凹部は、クリック係合可能であれば、Ｖ溝に限らない。また、操作部材４１には、後述するピン４２を設けるための、内周と外周との間を貫通する貫通孔４１ｂが複数形成されている。
【００３７】
操作部材４１は、Ｖ溝４１ａが形成された側の面が図３中の上側にされて、第２の軸部材２３のフランジ部２３ａの外周に嵌合され、フランジ部２３ａによって軸ＭＡ回りに回動自在に支持されている。フランジ部２３ａの外周には全周に渡って、係合溝２３ｅが形成されている。操作部材４１の貫通孔４１ｂに、ピン４２が操作部材４１の内周側に突出するように圧入されている。このピン４２が第２の軸部材２３のフランジ部２３ａの係合溝２３ｅと係合することによって、第２の軸部材２３のフランジ部２３ａに対する操作部材４１の軸ＭＡ方向への移動が規制されている。これにより、操作部材４１は、軸ＭＡ方向に若干隙間をあけて連結部材２１Ｒと対面した状態で、第２の軸部材２３に対して軸ＭＡ回りに回動自在になっている。操作部材４１の外周は外部に露出しており、使用者は、操作部材４１の外周に軸ＭＡ回りの回動力を加える回動操作を行うことによって、操作部材４１を軸ＭＡ回りに回動させることができる。
【００３８】
操作部材４１のＶ溝４１ａとクリック係合するクリック用突出部としてのボール３１は、操作部材４１の回動により操作部材４１のＶ溝４１ａと対面し得る位置に配置されている。このボール３１は、連結部材２１Ｌの図３中の下側の面、すなわち操作部材４１に対向する面に開口して形成された軸ＭＡ方向に延在する孔２１Ｌｂ内に収容された圧縮バネ３２によって、図３中の下方向へ付勢されている。ボール３１の大部分も、孔２１Ｌｂ内に収容されている。これによって、ボール３１は、連結部材２１Ｌ側に設けられており、連結部材２１Ｌに対して軸ＭＡ方向には移動可能であるが、連結部材２１Ｌと一緒になって軸ＭＡ回りに回動する。連結部材２１Ｌに対する相対的な操作部材４１の軸ＭＡ回りの回動位置に応じて、ボール３１が操作部材４１のＶ溝４１ａと対面すると、ボール３１が操作部材４１のＶ溝４１ａに落ち込んでクリック係合する。図２及び図３は、ボール３１がＶ溝４１ａにクリック係合している状態を示している。一方、連結部材２１Ｌに対する相対的な操作部材４１の軸ＭＡ回りの回動位置に応じて、ボール３１が操作部材４１のＶ溝４１ａと対面していなければ、ボール３１は、Ｖ溝４１ａとのクリック係合が外れて、操作部材４１の図３中の上面に乗り上がる。なお、クリック用突出部としては、圧縮バネ３２で付勢されたボール３１に限らず、例えば、板バネに設けられた突起を用いてもよい。
【００３９】
本実施の形態では、ロック／解除部材５１は、環状部材として構成され、操作部材４１の図３中の下側に操作部材４１と同軸に配置されている。ロック／解除部材５１の内周に形成された雌ねじ部５１ａが、第２の軸部材２３のフランジ部２３ａの外周に形成された雄ねじ部２３ｆに螺合されている。ロック／解除部材５１の外周は外部に露出しており、使用者は、ロック／解除部材５１の外周に軸ＭＡ回りの回動力を加える回動操作を行うことによって、ロック／解除部材５１を軸ＭＡ回りの所定方向及び逆方向に回転させることができる。これにより、ロック／解除部材５１は、軸ＭＡ回りに所定方向に回転させられると、操作部材４１を軸ＭＡ方向、ここでは、図３中の上方向に締め付けて操作部材４１の回動をロックする、すなわち操作部材４１の回動を不能にするとともに、逆方向に回転させられると、操作部材４１の前記締め付けを緩めて操作部材４１の回動のロックを解除する、すなわち操作部材４１の回動を可能にする。もっとも、本実施の形態では、ロック／解除部材５１に代わるロック／解除部材として、他のロック機構による部材を採用してもよい。
【００４０】
本実施の形態では、化粧蓋６１は、円盤状の蓋部６１ａと、蓋部６１ａの中心に突設された軸部６１ｂとを有している。軸部６１ｂの外周に形成された雄ねじ部６１ｃが、第２の軸部材２３のフランジ部２３ａの内周に形成された雌ねじ部２３ｇに螺合されている。これにより、化粧蓋６１の蓋部６１ａが、ロック／解除部材５１の図３中の下側端部及び第２の軸部材２３の図３中の下側を覆っている。
【００４１】
このように、本実施の形態では、化粧蓋６１は、第２の軸部材２３に螺合されて、ロック／解除部材５１の操作部材４１とは反対の側に位置する部位、つまり、ここでは、蓋部６１ａを有する部材となっている。化粧蓋６１の蓋部６１ａの外周は外部に露出しており、使用者は、蓋部６１ａの外周に軸ＭＡ回りの回動力を加える回動操作を行うことによって、化粧蓋６１を軸ＭＡ回りの所定方向及び逆方向に回転させることができる。これにより、化粧蓋６１は、軸ＭＡ回りに所定方向に回転させられると、ロック／解除部材５１を軸ＭＡ方向、ここでは、図３中の上方向に締め付けるとともに、逆方向に回転させられると、ロック／解除部材５１の前記締め付けを緩める。
【００４２】
操作部材４１の回動のロックを解除する場合には、化粧蓋６１を緩めた後に、ロック／解除部材５１を緩めればよい。一方、操作部材４１の回動をロックする場合には、ロック／解除部材５１を締め付けた後に、化粧蓋６１を締め付ければよい。このように、化粧蓋６１は、ロック／解除部材５１と共にダブルナットと同様の状態を実現し、操作部材４１の回動がロックされているときに、意図せずにロック／解除部材５１が緩んでしまってそのロックが解除されてしまうことを、より確実に防止することができる。もっとも、本発明では、化粧蓋６１は必ずしも設ける必要がなく、化粧蓋６１を取り除いてもよい。この場合、第２の軸部材２３の雌ねじ部２３ｇは、例えば、三脚固定用ネジとして利用することができる。
【００４３】
なお、操作部材４１、ロック／解除部材５１及び化粧蓋６１の回動操作を容易にするために、必要に応じて、それらの表面に、ローレット加工を施したり、ゴム等の摩擦係数の高い材料を設けたりしてもよい。
【００４４】
次に、図８乃至図１２を参照して、本実施の形態による双眼鏡１の動作例について説明する。図８乃至図１２は、本実施の形態による双眼鏡１の各動作状態を示す概略正面図であり、図２に対応している。これらの図において、眼幅Ａは最大眼幅、眼幅Ｂは任意の眼幅、眼幅Ｃは最小眼幅を示している。ただし、Ａ≧Ｂ≧Ｃである。なお、理解を容易にするため、図８乃至図１２では、鏡体２Ｒ及び連結部材２１Ｒを図中の同じ向きに固定して記載している。以下の説明において、上下左右は、図８乃至図１２中の上下左右をいうものとする。
【００４５】
クリック感を得る眼幅を眼幅Ｂに設定する場合には、まず、操作部材４１の回動操作を可能な状態とする。すなわち、化粧蓋６１を緩めた後にロック／解除部材５１を緩めることで、鏡体２Ｒ、連結部材２１Ｒ並びに第１及び第２の軸部材２２，２３に対する軸ＭＡ回りの操作部材４１の回動のロックを解除して、操作部材４１の回動が可能な状態にする。図８は、最大眼幅Ａとなっている状態において、操作部材４１の回動操作が可能な状態にした例を示している。図８に示す例では、操作部材４１のＶ溝４１ａは軸ＭＡの下に位置し、連結部材２１Ｌ側に設けられたボール３１は軸ＭＡの右に位置している。
【００４６】
次に、操作部材４１の回動操作を可能な状態にしたまま、鏡体２Ｒ，２Ｌを軸ＭＡ回りに相対的に回動させることで、眼幅を所望の眼幅Ｂに変更する。図９は、図８に示す状態から、眼幅を眼幅Ｂに変更した状態を示している。図９では、操作部材４１のＶ溝４１ａは軸ＭＡの下に位置したままであるのに対し、連結部材２１Ｌ側に設けられたボール３１は、鏡体２Ｒ及び連結部材２１Ｒに対する鏡体２Ｌ及び連結部材２１Ｌの軸ＭＡ回りの回動に従って、軸ＭＡの右斜め下の位置に変更されている。
【００４７】
その後、操作部材４１を回動操作してクリック感が得られた回動位置で操作部材４１の回動操作を停止することで、操作部材４１のＶ溝４１ａを連結部材２１Ｌ側に設けられたボール３１にクリック係合させ、更に、操作部材４１の回動をロックする。すなわち、ロック／解除部材５１を締め付けた後に化粧蓋６１を締め付けて、鏡体２Ｒ、連結部材２１Ｒ並びに第１及び第２の軸部材２２，２３に対する軸ＭＡ回りの操作部材４１の回動をロックする。図１０は、図９に示す状態から、操作部材４１のＶ溝４１ａを連結部材２１Ｌ側に設けられたボール３１にクリック係合させ、更に操作部材４１の回動をロックした状態を示している。図１０では、連結部材２１Ｌ側に設けられたボール３１は軸ＭＡの右斜め下に位置したまま、操作部材４１のＶ溝４１ａはボール３１と同じ位置に変更されている。
【００４８】
以上により、クリック感を得る眼幅を眼幅Ｂに設定する動作が終了する。以上の説明では、その設定動作の最初の状態を、眼幅が最大眼幅Ａである状態としたが、その設定動作の最初の状態は、他の任意の眼幅であってもよい。
【００４９】
クリック感を得る眼幅を眼幅Ｂに設定した後でも、鏡体２Ｒ，２Ｌを軸ＭＡ回りに相対的に回動させることで、眼幅を他の任意の眼幅に変更することができる。図１１は、図１０に示す状態から、眼幅を最大眼幅Ａに変更した状態を示している。図１１では、Ｖ溝４１ａの位置は図１０と同じ位置のままであるが、連結部材２１Ｌ側に設けられたボール３１の位置は、鏡体２Ｒ及び連結部材２１Ｒに対する鏡体２Ｌ及び連結部材２１Ｌの軸ＭＡ回りの回動に従って、軸ＭＡの右の位置に変更されている。図１２は、図１０に示す状態から、眼幅を最小眼幅Ｃに変更した状態を示している。図１２では、Ｖ溝４１ａの位置は図１０と同じ位置のままであるが、連結部材２１Ｌ側に設けられたボール３１の位置は、鏡体２Ｒ及び連結部材２１Ｒに対する鏡体２Ｌ及び連結部材２１Ｌの軸ＭＡ回りの回動に従って、Ｖ溝４１ａよりも下側の位置に変更されている。
【００５０】
このように眼幅を眼幅Ｂから変更した後に、クリック感を設定した眼幅Ｂへ戻す場合には、眼幅Ｂへ戻す方向、例えば、図１１に示す状態から眼幅Ｂへ戻す場合には眼幅が小さくなる方向、図１２に示す状態から眼幅Ｂへ戻す場合には眼幅が大きくなる方向に、鏡体２Ｒ，２Ｌを軸ＭＡ回りに相対的に回動させていく。すると、眼幅Ｂとなったときに、図１０に示す状態、すなわちボール３１がＶ溝４１ａに落ち込んで、ボール３１とＶ溝４１ａとがクリック係合する状態となって、クリック感が得られる。したがって、使用者は、予め任意に設定した眼幅Ｂに簡単に戻すことができる。
【００５１】
以上のように、本実施の形態によれば、クリック感が得られる眼幅位置を任意に設定することができ、しかも、その設定位置を解除しなくても眼幅位置を変更することができる。
【００５２】
そして、本実施の形態では、図９に示す状態から図１０に示す状態へ変更する際などに、操作部材４１を直接回動操作して、操作部材４１の回動位置、すなわち、クリック位置を設定することができる。したがって、本実施の形態によれば、操作部材４１の回動位置を設定するために、前述した日本国特開平１１−１４８９３号公報の双眼鏡のようなクリック係合を介した引き連れ移動、本実施形態にあっては、操作部材４１が、ボール３１とＶ溝４１ａとが係合した状態で連結部材２１Ｌの回動に引き連れられて従動すること、を利用する必要がない。このため、本実施の形態によれば、各部の摩擦やバネ３２のバネ力の調整をシビアに行う必要がなくなる。
【００５３】
ところで、前述した日本国特開平１１−１４８９３号公報の双眼鏡では、前記クリック板の眼幅開方向の幅が少なくとも眼幅調整範囲の２倍の長さ必要となるため、双眼鏡の眼幅調整範囲の制約や幅方向及び厚み方向のサイズアップを招いてしまう。
【００５４】
この点について、日本国特開平１１−１４８９３号公報中の実施の形態に即して具体的に説明すると、日本国特開平１１−１４８９３号公報の構成であると、「可動ボディ１５」の眼幅開方向の移動範囲内で、「クリックバネ２３」が「クリック板２１」のクリックバネ側の面（凹部２１ａを含む）にある必要がある。
【００５５】
これは、「眼幅位置ロックレバー２０」により「クリック板２１」が摩擦係止され眼幅開方向の移動を制限された状態を考えると、「クリック板２１」の眼幅開方向の幅は、眼幅最小で「クリックバネ２３」が「クリック板２１」の「凹部２１ａ」に落ち込む場合の眼幅最大側への幅と、眼幅最大で「クリックバネ２３」が「クリック板２１」の「凹部２１ａ」に落ち込む場合の眼幅最小側への幅が必要ということになる。
【００５６】
つまり、「クリック板２１」の眼幅開方向の幅が少なくとも眼幅調整範囲の２倍の長さ必要となるということである。例えば、一般的な双眼鏡に多い眼幅調整幅が５６ｍｍから７２ｍｍの双眼鏡の場合は、少なくともクリック板の眼幅開方向の幅は３２ｍｍ以上必要ということになる。これは、双眼鏡の眼幅調整範囲の制約や幅方向及び厚み方向の制約に繋がる。
【００５７】
これに対し、本実施の形態による双眼鏡１では、操作部材４１の回動位置によってクリック位置を設定するので、眼幅調整範囲や双眼鏡１の大きさの自由度が高くなる。
【００５８】
本実施の形態では、前述した図５乃至図７に示すように、操作部材４１には、クリック用凹部としてのＶ溝４１ａが１つしか形成されていない。これに対し、操作部材４１に、複数のクリック用凹部として、複数のＶ溝４１ａを形成してもよい。図１３は、操作部材４１の変形例を示す平面図であり、図５に対応している。Ｖ溝４１ａの数は限定されるものではないが、図１３に示す例では、操作部材４１には、適当角度間隔をあけて３つのＶ溝４１ａが形成されている。この場合には、例えば、使用者は、真ん中のＶ溝４１ａによるクリック感が得られる所を所望の眼幅とし、他のＶ溝４１ａによるクリック感が得られたときに、所望の眼幅が近いことの予告として認識することができる。したがって、使用者は、より容易に所望の眼幅に調整することができる。
【００５９】
このように、操作部材４１に複数のクリック用凹部を形成する場合、いずれか１つのクリック用凹部によるクリック感と他のいずれか１つのクリック用凹部によるクリック用凹部とが互いに異なるように、当該複数のクリック用凹部を構成してもよい。例えば、図１３に示す例では、３つのＶ溝４１ａの深さは同一であって、それらにより得られるクリック感は同一であるが、真ん中のＶ溝４１ａの深さを他の２つのＶ溝４１ａよりも深くすることで、真ん中のＶ溝４１ａによるクリック感と他の２つのＶ溝４１ａによるクリック感とを異ならせてもよい。この場合、予告によるクリック感と所望の眼幅のクリック感とが異なるため、使用者は両者をより識別し易くなる。したがって、使用者は、より一層容易に所望の眼幅に調整することができる。
【００６０】
［第２の実施の形態］
図１４は、本発明の第２の実施の形態による双眼鏡１０１の軸ＭＡの付近を拡大しかつその大部分を破断して示す図であり、図３に対応している。図１４において、図３中の要素と同一又は対応する要素には同一符号を付し、その重複する説明は省略する。
【００６１】
本実施の形態による双眼鏡１０１が前記第１の実施の形態による双眼鏡１と異なる所は、ロック／解除部材５１が取り除かれ、化粧蓋６１がロック／解除部材として兼用されている点のみである。
【００６２】
すなわち、本実施の形態では、化粧蓋６１は、軸ＭＡ回りに所定方向に回転させられると、操作部材４１を軸ＭＡ方向、ここでは、図１４中の上方向に締め付けて操作部材４１の回動をロックする、すなわち操作部材４１の回動を不能にするとともに、逆方向に回転させられると、操作部材４１の前記締め付けを緩めて操作部材４１の回動のロックを解除する。すなわち操作部材４１の回動を可能にする。
【００６３】
本実施の形態によっても、前記第１の実施の形態と同様の利点が得られる。なお、本実施の形態においても、操作部材４１に複数のＶ溝４１ａを形成してもよい。
【００６４】
以上、本発明の各実施の形態及びその変形例について説明したが、本発明はこれらに限定されるものではない。
【００６５】
例えば、前述した各実施の形態では、操作部材４１にクリック用凹部としてのＶ溝４１ａを形成する一方で、鏡体２Ｌの側にクリック用突出部としてのボール３１が設けられているが、逆に、操作部材４１にクリック用突出部を設ける一方で、鏡体２Ｌの側にクリック用凹部を設けてもよい。
【図１】
2013147180.tif 000003
【図２】
2013147180.tif 000004
【図３】
2013147180.tif 000005
【図４】
2013147180.tif 000006
【図５】
2013147180.tif 000007
【図６】
2013147180.tif 000008
【図７】
2013147180.tif 000009
【図８】
2013147180.tif 000010
【図９】
2013147180.tif 000011
【図１０】
2013147180.tif 000012
【図１１】
2013147180.tif 000013
【図１２】
2013147180.tif 000014
【図１３】
2013147180.tif 000015
【図１４】
2013147180.tif 000016
【国際調査報告】
2013147180.tif 000017
2013147180.tif 000018